Podtech/llm-jp-corpus-v4-ja_patent huggingface dataset:
(57)【要約】【課題】チューブ等を流体が通る際の小流量域の流量を制御することを可能にすること。【解決手段】流体（２０）の通るチャネル（１）の中に多孔質膜（２）を取り付け、その前後に電極（３−ａ，３−ｂ）を設置する。両電極（３−ａ，３−ｂ）間に微少な電圧をかけるとチャネル（１）を通る流体の微少流量を制御することができる。また電極（３−ａ，３−ｂ）の正極と負極を反転することにより、バルブ作用も行わせることが可能となる。【選択図】図１
2004290809.tif 000002
【特許請求の範囲】
【請求項１】
流体中に多孔質膜を設け、この両側に電極を設置して、それら電極間に比較的小さな電圧を印加して、流体の微少流量を制御すること、及び電極の正極と負極を反転してバルブ作用を行わせることを特徴とする、膜を通過する流れの電圧による制御方法及びその装置。
【発明の詳細な説明】
【０００１】
【発明の属する技術分野】
この発明は、膜を通過する流れを電圧により制御する方法とその装置に関するものである。
【０００２】
【従来の技術】
管内を通る流体の流量制御は、従来バルブを用いてその開度を変えたり、圧力を調整する方法により行われてきた。しかしながら、これらの方法は、特に微小流量を制御する目的には適していない。
公知例：特開平９−１９２２１３
特開平９−２８１０７７
特開２０００−２６５９４５
国際公開ＷＯ９９／０９２６５
【０００３】
【発明が解決しようとする課題】
上記のような背景を踏まえ、チューブ等を流体が通る際の小流量域の流量の制御を行えるようにすることが本発明の課題である。
【０００４】
【課題を解決するための手段】
本発明の原理を示す概念図を図１に示す。チャネル（１）の中に多孔質膜（２）を取り付ける。その前後に電極（３−ａ，３−ｂ）を設置する。流体（２０）は図中左から右に流れるものとする。本発明者は鋭意研究した結果、両電極間に比較的小さな電圧をかけると流量が減少または増加することが分かり、これを用いれば、電圧により微少流量の制御が可能となることを見出した。ただし、溶液、電極、膜の種類の組み合わせや、多孔質膜（２）の上流下流側のいずれかを正極とするか、水溶液（流体）（２０）のイオン化の程度等の条件によって電圧対流量の関係が異なるので適切な条件を選定する必要があり、これらの条件の最適化により電圧に対する所望の流量の関係を設定することが可能となる。
【０００５】
【発明の実施の形態】
以下、本発明の実施の形態を説明する。
図２は、本発明の電圧により流量を制御する装置の一実施例の構成図である。チャネル（１）内に設置された多孔質膜（２）と電極（３−ａ，３−ｂ）を通して、ヘッドタンク（４）に貯えられた電解質水溶液（２０）（例えば生理食塩水）を流す。電極（３−ａ，３−ｂ）間には一定電圧を定電圧電源（５）によってかける。流量はデジタル天秤（６）を用い重量法により求め、この時発生した信号はコンピュータ（８）に送られる。多孔質膜（２）の前後の圧力差はマノメータ（７）または差圧式圧力計により測る。
【０００６】
図３は図２に示す電圧により流量を制御する装置を用いて実験を行って得られた一結果である。供試液は０．９％食塩水、付加電圧は２Ｖ、付加圧力は水柱４０ｍｍ、使用した多孔質膜（２）はニッケル箔で孔径は約５μｍのものである。電極（３−ａ，３−ｂ）はそれぞれ亜鉛板（陰極）、銀板（陽極）である。流し始めは電圧零の状態で流し、３００秒経過した時点で電圧を付加する。上流側電極に＋２Ｖをかけた場合は流量にほとんど変化は見られない。しかし、上流側電極に−２Ｖをかけると急激に変化を起こし、流量がほとんど零に減衰する。つまり電極の正極と負極を反転させることにより、バルブ作用を発揮させることができる。これを実現するには、図２の実施例において電圧反転機構（例えばトランジスタを用いて電子的に行なうもの）を設ければよい。
【０００７】
図４は、付加圧力を零（すなわち流量零）のＫＣｌ水溶液に対し、３００秒後に電圧を付加した場合である。多孔質膜（２）として、孔径５．８ミクロンと  ３．９ミクロンの２種類を用いた。この図から分かるように、いずれの孔径の場合も電圧をかけると流れが生じている。また孔径の大きい方が流量は大きい。また、比較のために、多孔質膜（２）を設置せずに電圧を付加した場合を示してあるが流れは生じていないことが分かる。このように、多孔質膜（２）と電極（３−ａ，３−ｂ）の組み合わせにより流れの制止や発生を行わせることが可能で、これを用いて流れの制御を行うことが可能である。また本発明では、多孔質膜（２）が重要な役割をしていて、さらにそれに設ける孔径が重要な役目をしている。
【０００８】
図５は多孔質膜（２）と電極（３−ａ，３−ｂ）の他の実施例の構成図である。
これは多孔質膜（２）と電極（３−ａ，３−ｂ）の流体（２０）の通過部分に穴（９，１０）をあけて（丸のみならず四角や三角形状にしてもよい）、流体（２０）を通過し易くし、もって通過抵抗を小さくしたものである。このように多孔質膜（２）と電極（３−ａ，３−ｂ）に穴をあけても本発明の効果は生ずる。
【０００９】
本発明に用いる水溶液（２０）としてはＮａＣｌ水溶液、ｋＣｌ水溶液のほか、ＭｇＣｌ水溶液、ＬｉＢｒ水溶液等にも利用できる。また多孔質膜（２）の材質としてはニッケルのほか、ステンレス、鉄、アルミニウム等の金属や、アルミナ等のセラミックスでもよく、その穴径は１μｍ〜１０００μｍ程度の範囲で利用すると好的な結果が生ずる。
【発明の効果】
本発明のよれば、流体中に設けた多孔質膜と電極を用いて、この電極に電圧をかけることで微少な流量の制御が可能となった。また電極の正極と負極を反転させてバルブ作用を行わせることもできるようになり実用に供して便利となった。
【図面の簡単な説明】
【図１】本発明の原理を示す概念図
【図２】本発明の一実施例の構成図
【図３】本発明の効果を示す図
【図４】本発明の他の効果を示す図
【図５】多孔質膜と電極部の他の実施例の構成図
【符号の説明】
（１）  チャネル
（２）  多孔質膜
（３−ａ，３−ｂ）電極
（４）  ヘッドタンク
（５）  定電圧電源
（６）  デジタル天秤
（７）  マノメータ
（８）  コンピュータ
（９，１０）  穴
（２０）水溶液（流体）
【図１】
2004290809.tif 000003
【図２】
2004290809.tif 000004
【図３】
2004290809.tif 000005
【図４】
2004290809.tif 000006
【図５】
2004290809.tif 000007
(57)【要約】【課題】藻や貝類の付着が防止でき、かつ強度が高いとともに耐食性に優れ、しかも安価な生け簀用ワイヤを提供することを課題とする。【解決手段】鋼線２の表面に、厚さが０．１〜０．５ｍｍのキュプロニッケルからなる外層３を設けた。【選択図】  図１
2004261023.tif 000002
【特許請求の範囲】
【請求項１】
鋼線の表面にキュプロニッケルからなる外層を設けたことを特徴とする生け簀用ワイヤ。
【請求項２】
外層の厚みが０．１〜０．５ｍｍである請求項１に記載の生け簀用ワイヤ。
【発明の詳細な説明】
【０００１】
【発明の属する技術分野】
本発明は、フグやカンパチ等を養殖するための生け簀の金網を構成するワイヤ（以下、生け簀用ワイヤという）に関する。
【０００２】
従来の生け簀には、合成繊維製の漁網や亜鉛メッキを施した鉄製のワイヤを網合わせたものが使用されている。しかし、前者の合成繊維製のものは藻、貝類が付着しやすい。藻、貝類が付着すると、網目が閉塞されて酸素が生け簀内に充分供給されず、養殖魚が酸欠を起こすという問題が発生する。そのため、漁網を定期的に陸揚げして洗浄しなければならず、維持費がかかるという問題を有していた。
また、後者の亜鉛メッキを施した鉄製の漁網は、藻、貝類の付着は合成繊維製のものに比べて少ないが、金属製のため海水による腐食は避けられない。このため、予め腐食量を計算して線径を太くしたり、亜鉛メッキの厚みを厚くするなどの対策が講じられるが、それでも耐用年数は２〜３年といったところで、寿命は非常に短いという問題を有していた。
【発明が解決しようとする課題】
【０００３】
上記藻や貝類の付着を防止する手段として、特開平２００１−１９０１７９号公報には、銅又は銅合金製の生け簀用ワイヤが提案されている。これは、銅の微量金属作用（銅の腐食、すなわちイオンの溶出による抗菌作用）により藻、貝類の付着を防止するというものである。また、上記腐食を防止する手段として、特開平６−２８４８３７号公報には、耐食性の高いチタン製の生け簀用ワイヤが提案されている。
しかしながら、前者の銅又は銅合金の生け簀用ワイヤは、耐食性が劣るとともに強度が低いという問題がある。強度が低いと波や海流によって生じる引張力でワイヤが断線してしまう。
また、後者のチタンワイヤを使用したものは、藻や貝類の付着が防止でき、しかも強度が高いので断線も防止できるが、チタンは非常に高価な金属であり、チタンで構成した生け簀は価格が非常に高くなるといった欠点を有していた。
【０００４】
従って、本発明は、藻や貝類の付着が防止でき、かつ強度が高いとともに耐食性に優れ、しかも安価な生け簀用ワイヤを提供することを課題とする。
【０００５】
【特許文献１】
特開平２００１−１９０１７９号公報
【０００６】
【特許文献２】
特開平６−２８４８３７号公報
【課題を解決するための手段】
【０００７】
本発明の生け簀用ワイヤは、鋼線の表面にキュプロニッケルからなる外層を設けたことを特徴とする。
【０００８】
キュプロニッケルは、１０〜３０％のニッケルを含む銅ベースの合金であるから、銅の抗菌作用で藻、貝類の付着が防止でき、しかもニッケルによる耐食性も高い。さらに、芯が鋼線であるから、強度が高く安価である。
【０００９】
上記構成において、キュプロニッケルの厚みは、０．１〜０．５ｍｍであることが好ましい。というのは、０．１ｍｍ未満では薄すぎて藻、貝類の付着防止効果が得られず、０．５ｍｍを越えるとコストが上がるともに、それ以上の効果が期待できないからである。
【００１０】
【発明の実施の形態】
以下、本発明の実施の形態を図面に基づいて説明する。
【００１１】
図１は、本発明の実施の形態を示す生け簀用ワイヤの横断面図を示す。
図１に示す生け簀用ワイヤ１は、鋼線２の表面に、厚さが０．１〜０．５ｍｍのキュプロニッケルからなる外層３を設けたものである。
【００１２】
鋼線は各種あるが、価格、加工性を考慮すると、一般的な硬鋼線材、ピアノ線材あるいはステンレス鋼線が好ましい。
【００１３】
キュプロニッケルを鋼材表面にコーティングするには、溶融したキュプロニッケル中に鋼材を通してもよいし、銅とニッケルをそれぞれコーティングして、これを熱拡散させてキュプロニッケルとしてもよい。また、鋼材をステンレス鋼として、この表面を銅で覆い熱処理すれば、ステンレス鋼中のニッケルと銅とが拡散して表面をキュプロニッケルにすることもできる。
【００１４】
【実施例】
ステンレス鋼線を製造する過程におけるスラブ熱間圧延前に、スラブ表面を銅で被覆して、これを熱間圧延で線材化した後、孔型圧延、冷間伸線加工を施して細径化して直径３ｍｍの本発明に係る生け簀用ワイヤを製造した。表面層はキュプロニッケルで覆われているが、これはステンレス鋼のニッケルと熱間圧延前に被覆した銅とが、熱間圧延時の熱によって拡散してキュプロニッケルに変化したことによるものである。
【００１５】
上記本発明の生け簀用ワイヤは芯材がステンレス鋼線であるから安価であり、かつ強度は高い。
また、従来のチタン線と合成繊維製のものと一緒に、実施に海中に浸漬して、腐食量および藻、貝類の付着を比較したが、本発明の生け簀用ワイヤは、チタンと同等の耐食性を示し、藻、貝類の付着もないことが確認された。
【００１６】
【発明の効果】
本発明の生け簀ワイヤは、芯材が鋼線であるから安価である。また強度が高く、波や海流によって生じる引張力でワイヤが断線してしまうことが防止できる。さらに、表面をキュプロニッケルでコーティングしたから、耐食性に優れることはもちろんのこと、キュプロニッケル中の銅の抗菌効果によって、藻、貝類の付着が防止できる。
【図面の簡単な説明】
【図１】本発明の実施の形態を示す生け簀用ワイヤの横断面図を示す。
【符号の説明】
１  生け簀用ワイヤ
２  鋼線
３  キュプロニッケル
【図１】
2004261023.tif 000003
(57)【要約】【課題】芝等の刈込みに使用する手持ち式刈込機において、ブレードカバーが本体底低部に刈込み高さの調整がブレードカバーを用いて効率良く簡単に行えるようにすること。【解決手段】ブレードカバー１の上面の両端に固定板７と爪部８から形成される取付部６を配設し、固定板７の爪部８が本体２側面に設けた切欠溝３に挿入されることにより、ブレードカバー１が本体２底部に位置し、爪部８の挿入位置を変えることでブレード４の地面からの位置を変更出来るようにした。【選択図】  図１
2004261053.tif 000002
【特許請求の範囲】
【請求項１】
モータ軸の回転を偏心カムを介して往復運動に変換し、この往復運動を本体前方駆動部底面に配置された上刃と下刃からなるブレードに伝達して該ブレードの少なくても一方の刃を可動刃となし、前記ブレードはブレードカバーを備えている手持ち式刈込機において、前記本体に前記ブレードカバーに、本体に取付け可能とした突起部を有し、本体の側面には該ブレードカバーの突起部が取付可能な溝を少なくても２個以上形成することを特徴とする手持ち式刈込機。
【発明の詳細な説明】
【０００１】
【発明の属する技術分野】
本発明は、芝等の刈込みを行なう刈込機に関するものである。
【０００２】
【従来の技術】
従来における刈込機を図４、５に示す。図において、刈込機のブレード４は本体２の底部に締結され、本体２と一体構造となっているため、芝等の刈込み高さを変更するためにはブレード４を適当な高さになるように持ち上げたり、傾けたりして調整する必要があった。  また、ブレード４の保護のために取付けているブレードカバー１は、作業時に取外すため置忘れ等で紛失してしまう恐れがあった。
【０００３】
【発明が解決しようとする課題】
従来技術による手持ち式刈込機は本体とブレードが一体構造であるため、芝等の刈込み高さを変更する場合には、ブレードがその高さにくるように本体を一定に保持しながら操作するため、操作性が悪かった。
【０００４】
また、ブレードカバーを紛失した場合、持ち運び時にけがをする恐れがあった。
【０００５】
本発明の目的は、刈込み作業中に刈込み高さを変える場合でも
作業者が変更前と同じ動作で作業が出来るようにするとともにブレードカバーの紛失を防止することである。
【０００６】
【課題を解決するための手段】
本発明の目的は、ブレードカバーに爪部を有する取付部と本体の側面に切欠部を設け、該ブレードカバーが本体底部に取付けられるようにすることで達成される。
【０００７】
【発明の実施の形態】
本発明による手持ち式刈込機の一実施例を図１〜図３に示す。
【０００８】
図１は本発明による実施例の側面図、図２は部分破断正面図、図３はブレードカバー１の傾視図である。
【０００９】
刈込機の本体２の側面には３本の切欠溝３を設けており、ブレードカバー１はブレード４を保護するカバー部５と上面の両端に配設された取付部６から構成され、該取付部６は固定板７と先端の爪部８から形成されている。
【００１０】
また、ブレードカバー１は固定板７の爪部８が本体２の切欠溝３  に挿入されることにより、２つの取付部６で本体２に挟持され、作業時には常に本体２底部に位置するようになる。
【００１１】
刈込み高さを変更する場合は、ブレードカバー１の固定板７の爪部８と本体２の切欠溝３の挿入位置を変更し、ブレード４の地面からの位置ａ〜ｃを調整する。
【００１２】
【発明の効果】
本発明によれば、手持ち式の刈込機の刈込み高さを変更する場合本体を手で持上げたり、傾けたりした不安定な状態で保持する必要がないため、作業性の向上が図れる。また、ブレードカバーを取外しておく必要がなくなるので、ブレードカバーの置き忘れ等による紛失を防止することも出来る。
【図面の簡単な説明】
【図１】本発明の側面図である。
【図２】本発明のＡ側から見た部分破断面である。
【図３】本発明のブレードカバーの斜視図である。
【図４】従来技術の側面図である．
【図５】従来技術のブレードカバーの斜視図である。
【符号の説明】
１はブレードカバー、２は本体、３は切欠溝、４はブレード、５はカバー部、６は取付部、７は固定板、８は爪部、Ａは断面方向ａ〜ｃはブレード位置、ｄは挿入方向である。
【図１】
2004261053.tif 000003
【図２】
2004261053.tif 000004
【図３】
2004261053.tif 000005
【図４】
2004261053.tif 000006
【図５】
2004261053.tif 000007
(57)【要約】【課題】作業姿勢や作業者の体格に合わせて、補助ハンドルを容易に調整できる操作性の良い刈込機を提供すること。【解決手段】ハウジングに形成された主ハンドルと、前記ハウジングに着脱可能に取り付けたループ状の補助ハンドルとを有する刈込機において、前記補助ハンドルを、ハウジングへの取り付け部を軸として周方向に回動可能としたことを特徴とする。また、前記補助ハンドルは、回動範囲内において任意の位置で固定可能としたことを特徴とする。【選択図】  図１
2004261052.tif 000002
【特許請求の範囲】
【請求項１】
ハウジングに形成された主ハンドルと、前記ハウジングに着脱可能に取り付けたループ状の補助ハンドルとを有する刈込機において、前記補助ハンドルを、ハウジングへの取り付け部を軸として周方向に回動可能としたことを特徴とする刈込機。
【請求項２】
前記補助ハンドルを、回動範囲内において任意の位置で固定可能としたことを特徴とする請求項１記載の刈込機。
【発明の詳細な説明】
【０００１】
【発明の属する技術分野】
本発明は、生垣や植木等の刈込みをする刈込機に関するものである。
【０００２】
【従来の技術】
従来における刈込機の構造を図３、及び図８〜図１０に示す。
【０００３】
図３、図９に示すように、刈込機の補助ハンドル３は円柱状部材を略Ｃ字状に形成した構造で、略Ｃ字状の両開端部６には、凸部７が配設されている。補助ハンドル３をハウジング１に装着する際は、図８に示すようにハウジング１に角度αをもって形成された補助ハンドル取り付け穴５に、補助ハンドル３の凸部７を嵌合し、図１０に示すようにハウジング１内部に保持されているナット１０へ、両側からボルト９を締め付けることで補助ハンドル３とハウジング１を締結している。
【０００４】
刈込作業の際は、図１１に示すようにハウジング１に一体成形された主ハンドル２と補助ハンドル３をそれぞれ握り、ハウジング１前部に装着された刈込刃４により、生垣や植木等を切断する。
【０００５】
【発明が解決しようとする課題】
ハウジングに装着された補助ハンドルは、傾きαの位置で固着されているため、作業姿勢や個人の体格が変わると操作性が悪く感じられる場合がある。
【０００６】
本発明の目的は、補助ハンドルを作業姿勢に合った持ち易い位置に容易に調整できる、操作性の良い刈込機を提供することである。
【０００７】
【課題を解決するための手段】
上記目的は、補助ハンドルを取り付け軸を中心に回動可能とし、任意の位置で固定可能とすることで達成される。
【０００８】
【発明の実施の形態】
本発明による刈込機の一実施形態を図１から図７に示す。
【０００９】
まず図４に示すように、ハウジング１の補助ハンドル取付穴２０は、補助ハンドル開端部に形成された凸部７が、取り付けボルト軸８を中心に角度βの範囲を回動可能となるように形成してある。
【００１０】
次に図５、図６に示すように、ハウジング１に開口部２７を設けてあり、取付ボルト軸上で回動可能なリング２１を前記ハウジング開口部２７から操作できるように配設してある。前記リング２１には回動軸上の一端面に左ねじ２２、反対側端面に右ねじ２３が加工されている。補助ハンドル３は、リング２１に加工されたねじ２２、２３に合致する左ねじ、及び右ねじの六角ボルト２４、２５でハウジング１に着脱自在に固定されている。
【００１１】
また図２に示すように、補助ハンドル３開端部のボルト挿入側座面２６は、取付用六角ボルト２４、２５の頭部形状に合せた六角形に形成されている。
【００１２】
リング２１の操作による各部の動作を図５〜図７において説明する。リング２１を図５のａ方向へ回した場合、図６に示すように、六角ボルト２４、２５は補助ハンドル３のボルト挿入側座面２６に形成された六角穴部と嵌合して回動しないため、左ねじボルト２４は矢印ｃ方向へ、右ねじボルト２５は矢印ｄ方向へ移動し、補助ハンドルの開端部６とハウジング１を密着して固定される。また反対に、リング２１を図５のｂ方向へ回した場合、図７に示すように、左ねじのボルト２４は矢印ｅ方向へ、右ねじのボルト２５は矢印ｆ方向へ移動し、補助ハンドル３の開端部６とハウジング１の密着力が弱まり、補助ハンドル３が角度βの範囲で回動可能となる。
【００１３】
このように、リング２１の操作だけで、ハウジング１に取付けた補助ハンドル３の回動及び固定が容易にできる構造である。
【００１４】
また作業中リング２１が緩んでも、ハウジング１に形成された取付穴２０と補助ハンドルの凸部７が干渉して回動範囲β以上は動かないため、補助ハンドル３を握っている手が、プロテクタ１１やハウジング１にあたるのを防止できる構造でもある。
【００１５】
【発明の効果】
本発明によれば、補助ハンドルの位置を、作業姿勢に合わせて容易に調整でき、操作性のよい刈込機を提供できる。
【図面の簡単な説明】
【図１】本発明の一実施形態を示す刈込機の側面図。
【図２】本発明の一実施形態を示す補助ハンドルの正面図。
【図３】図２のＡ−Ａ断面図。
【図４】本発明の一実施形態を示すハウジングの補助ハンドル取付穴の拡大図。
【図５】本発明の補助ハンドル固定方法の一実施形態を示す刈込機の側面図。
【図６】図５のＢ−Ｂ断面図。
【図７】図５のＢ−Ｂ断面図。
【図８】従来の補助ハンドル取付穴を示す刈込機の側面図。
【図９】従来の補助ハンドルを示す正面図。
【図１０】図８のＣ−Ｃ断面図。
【図１１】刈込機の使用状態を示す斜視図。
【符号の説明】
１はハウジング、２は主ハンドル、３は補助ハンドル、４は刈込刃、５は取り付け穴、６は開端部、７は凸部、８は取り付けボルト軸、９はボルト、１０はナット、１１はプロテクタ、２０は取付穴、２１はリング、２２は左ねじ部、２３は右ねじ部、２４、２５は六角ボルト、２６はボルト挿入側座面、２７は開口部である。
【図１】
2004261052.tif 000003
【図２】
2004261052.tif 000004
【図３】
2004261052.tif 000005
【図４】
2004261052.tif 000006
【図５】
2004261052.tif 000007
【図６】
2004261052.tif 000008
【図７】
2004261052.tif 000009
【図８】
2004261052.tif 000010
【図９】
2004261052.tif 000011
【図１０】
2004261052.tif 000012
【図１１】
2004261052.tif 000013
(57)【要約】【目的】サッカーやラグビー等で使用する、更にはアメリカンフットボールに於けるゴールや円盤およびハンマー投げ用囲い等に於いて用いる支柱等の設置作業を安全且つ短時間に、しかも支柱の移動軸を２軸設けることにより設置用台車そのものが支柱を搭載したまま移動出来るようにした。【構成】最初の状態では低位置にあった図１の支柱受け５へ、支柱６を載せて、昇降用ウィンチ４によって適正高さにまで上昇する。なお、台車は固定用チェーン１によってゴール支柱の基礎部に固着されている。所定の高さで一度動きを止めてから図１の回転用ウィンチ８を用いて支柱を上から下へ向けて回転させて目指す基礎埋設部へ直接設置する。【選択図】図１
2004261537.tif 000002
【特許請求の範囲】
【請求項１】
台車を競技場に存在する基礎埋設部へ固定して、その上に支柱を低位置で載せてウィンチを用いて高所へ移動させ、そこから別のウィンチによって回転させて基礎埋設部へ固定する支柱設置方法。
【請求項２】
上述支柱の移動および回転を可能にする支柱設置用台車。
【発明の詳細な説明】
【０００１】
【産業上の利用分野】
本発明は、サッカーやラグビー等で使用する、更にはアメリカンフットボールに於けるゴールや円盤およびハンマー投げ用囲い等に於いて用いる支柱等の設置および解体に関する。
【０００２】
【従来の技術】
スポーツ振興は急速に進んでいるが今なお多目的競技場が多く、たとえば陸上競技場に於いてラグビーを行うケースではラグビーで使用された支柱は陸上競技場では不用になるので、ラグビーの競技が開催される際には支柱の組立ておよび撤去作業がその都度必要になる。
組立ておよび解体の際の動力源は多くの場合人力に頼らざるを得なかったのである。
【０００３】
【発明が解決しようとする課題】
図１にサッカーゴールの寸法図を引用したが、以前より両側の支柱をグランドの基礎設置位置に先ず直立に固定した後に高い空中位置でクロスバーを連結するのである。（例えば非特許文献１参照）
その際何と言っても支柱の直立・固定そのものに多くの人的労力と時間を要していたのである。
【０００４】
本発明は上述の状況に対応して考案されたもので、支柱の組立てを先ずは安全に、そして少ない人的労力で行う方法を実現したものである。
【０００５】
【課題を解決するための手段および作用】
本発明では楽な方法で支柱の組立てを可能にするために、支柱を低位置から上方へ立ち上げて組立てるこれまでの多大の労力を要する常識的手法を越えて、一度上方高位置へ支柱をウィンチを用いて移動させて停止させた後に回転を加えて、従来とは逆に支柱を降ろして設置する方法を可能にする方法に関するものであって、安全面に於いては勿論のこと、動力的にも節約を期待出来る機構になっている。
即ち概略を述べれば支柱を低位置にて台車へ載せた後に図２のウィンチ１によって上方高位置へ移動せしめ、次いで図３の今一つのウィンチ２を用いて回転させて目指す基礎埋設部へ直接設置出来る能力を有する特殊な台車となっており、現在の各種多目的競技場に於いてほとんどの場合に使用可能であり、人的労力がはるかに軽減される。
【０００６】
【発明の実施の形態】
次に本発明に係る支柱設置用台車について好適な実施例を挙げて、添付図面を参照しながら説明を行う。
先ず図１に本発明に係る支柱設置用台車の概略の構造を示す。
台車は固定用チェーン１を競技場にある基礎部に掛けて、ジャッキ２にて台車本体を移動させることにより基礎部との固定を行うものである。
台車の縦横の移動はキャスター３を働かせて行う。
図２は、昇降用ウィンチ４によって支柱受け５の位置を引き下げた状態である。
昇降フレーム７をあわせて示してある。
引き下げた支柱受け５の上に支柱６を載せてバンド９によって固定した状態が図３である。
次いで、昇降用ウィンチ４を用いて支柱６を適切な高さに引揚げた状態を図４に示してある。
この支柱６を回転用ウィンチ８を用いて回転させている状況が図５に示されている。
動力は回転軸１０から回転用ワイヤー１１を通じて伝えられるのである。
図６には支柱の回転が終了して完全に立ち上がった状態を示してある。
次いで、支柱６を再び昇降用ウィンチ４を用いて基礎部へ完全に落とし込んだ状態が図７である。
その後は、支柱６からバンド９を取外し、更に基礎部から固定用チェーン１を取外し、台車をキャスター３を用いて後方に移動するのであり、図８に示される状態になる。
競技終了後の解体についてはこれまでの手順と全く逆にして、やはり今まで以上に効率的に為し得るのである。
【０００７】
【特許文献１】
特開平６−１２１８５６（第５ページ、図１）
【非特許文献１】
「屋外体育施設のルール」，財団法人  日本体育施設協会・屋外体育施設部会，平成１３年１２月２５日改訂版（第１５６ページ、サッカーゴール寸法図）
【０００８】
【発明の効果】
上述のように、本発明に係る支柱設置用台車によれば僅かの労力で素早い組立てと、逆の工程を経ての解体が可能であって、多目的競技場に於けるサッカーやラグビー等で使用する、更にはアメリカンフットボールに於けるゴールや円盤およびハンマー投げ用囲い等に於いて用いる支柱の設置にも幅広く利用可能なメリットがある。
しかも、従来のように多くの人的労力と作業中の危険が無くなって、安全上からも非常に有利である。
【０００９】
【図面の簡単な説明】
【図１】支柱設置用台車の全体図である。
【図２】支柱設置用台車の支柱取付け前の低位置状態である。
【図３】支柱６を載せて固定した状態である。
【図４】支柱を適切な高さまで引揚げた状態である。
【図５】支柱を回転させている状況である。
【図６】支柱が回転を終了して立ち上がった状態である。
【図７】支柱を基礎部へ完全に落とし込んだ状態である。
【図８】支柱から固定のバンドを外して、台車を基礎部から外し、後方へ移動した状態である。
【符号の説明】
１．固定用チェーン
２．ジャッキ
３．キャスター
４．昇降用ウィンチ
５．支持受け
６．支柱
７．昇降フレーム
８．回転用ウィンチ
９．バンド
１０．回転軸
１１．回転用ワイヤー
【図１】
2004261537.tif 000003
【図２】
2004261537.tif 000004
【図３】
2004261537.tif 000005
【図４】
2004261537.tif 000006
【図５】
2004261537.tif 000007
【図６】
2004261537.tif 000008
【図７】
2004261537.tif 000009
【図８】
2004261537.tif 000010
(57)【要約】【課題】コップ類の内部の汚れを効果的に洗浄することができる食器洗浄ブラシを提供する。【解決手段】コップ類の内部を洗浄するブラシ本体１に洗浄液の水流を受ける受け板２が形成されている食器洗浄ブラシを使用する。【選択図】        図１
2004261538.tif 000002
【特許請求の範囲】
【請求項１】
洗浄液を放出し、コップ等食器に前記洗浄液を当てることで食器の表面を洗浄する構造を有する食器洗浄機において、前記洗浄液の勢いによって連続的あるいはランダムにコップ等食器の内部を上昇下降運動、揺動運動又は回転運動するブラシ本体を設けたことを特徴とする食器洗浄機内に設置して使用する食器洗浄ブラシ。
【請求項２】
前記ブラシ本体の下部に洗浄液の水流を受ける受け板を設けたことを特徴とする請求項１記載の食器洗浄ブラシ。
【請求項３】
洗浄するコップ等食器の洗浄面に対し、前記ブラシ本体のブラシが直角方向に形成されていることを特徴とする請求項１、２記載の食器洗浄ブラシ。
【発明の詳細な説明】
【０００１】
【発明の属する技術分野】
本発明は、コップや湯のみなどの深い丸型形状の被洗浄体（以下単に食器という）の内部を洗浄する食器洗浄ブラシに関するものである。
【０００２】
【従来の技術】
従来より食器洗浄機においてはいろいろな改良がなされ洗浄室内に、食器類を内蔵させた後、洗浄室内のノズルから放出された洗浄液が食器類に衝突することで洗浄する方式の食器洗浄機が考案されている。
【０００３】
【発明が解決しようとする課題】
しかしながら、上記のように構成した食器洗浄機では放出された洗浄液の勢いのみで食器の内部を洗浄するため、スポンジ等で直接食器の内部を擦って洗浄する方法に比べて洗浄力が劣り、汚れが完全に除去できずに洗浄後にも食器の内部に残るという欠点があった。
【０００４】
本発明は、上記のような問題を解決するためになされたもので、食器の内部の汚れを効果的に除去することを目的としている。
【０００５】
【課題を解決するための手段】
本発明にかかる食器洗浄ブラシは次のように構成したものである。
（１）洗浄液を放出し、コップ等食器に前記洗浄液を当てることで食器の表面を洗浄する構造を有する食器洗浄機において、前記洗浄液の勢いによって連続的あるいはランダムにコップ等食器の内部を上昇下降運動、揺動運動又は回転運動するブラシ本体を食器洗浄機内に設けたものである。
（２）上記（１）の食器洗浄ブラシにおいて洗浄液の水流を受けるための受け板を設けたものである。
（３）上記（１）及び（２）の食器洗浄ブラシにおいて食器の洗浄面に対し、前記ブラシ本体のブラシが直角方向に形成されたものである。
【０００６】
【発明の実施の形態】
実施の形態
以下、添付図面に従って本発明に係る食器洗浄ブラシの実施例について説明する。図１は本発明の実施例の構成を示す説明図で図１（ａ）は実施例の正面図、図１（ｂ）は実施例の断面図である。１はブラシ本体である。また、２は合成樹脂からなる受け板で断面形状が逆Ｕ字形に形成されていてブラシ本体１の適宜位置に備えられている。
【０００７】
図２は使用状態を示す説明図で、食器３の中にある食器洗浄ブラシの受け板２に洗浄液が当たり上昇しながら回転し、ブラシ本体１が洗浄面にあたり洗浄する。洗浄液の水流により食器３の底までブラシ本体１が上昇移動するため、食器３の内部全体を洗浄することができる。ブラシ本体１の中心部の穴は食器受け支持部４の直径より大きく形成されているため、ブラシ本体１が偏芯しながら上昇回転し、食器３の内部全体に接触して洗浄することができる。
【０００８】
又、図３に示すように受け板２の洗浄液を受ける面において円周方向に複数の傾斜版５を同一方向に傾けて設けることにより、受け板２の下部に衝突する洗浄液の力を回転力に変えて、ブラシ本体１をより強い力で回転させることができ洗浄効果が上がる。
【０００９】
さらに、ブラシ本体１のブラシが洗浄面に対して直角方向であるため食器３の内部を均一に洗浄することができる。
【００１０】
又、図１〜３においてはブラシ本体１をリング状に形成したブラシで説明したが、ブラシ本体１の構造はこの形状に限るものではなく例えば図４に示すような長尺の繊維を用い、この根元を束ねたものでブラシが噴水状に毛先が垂れた構造のブラシ体６を使用してもよい。このようなブラシ体６に洗浄液が衝突することでブラシ体６は前後左右に不連続に傾き揺動したブラシ体６の毛先が食器３の内部を擦って洗浄することができる。
【００１１】
このようにブラシ体６自身あるいはブラシ本体１に設けた受け板２等が洗浄液の衝突によって食器３の内部を上昇、下降、回転、揺動等、様々な動きをすることで洗浄効果を高めることができるものである。
【００１２】
【発明の効果】
以上のように本発明によれば洗浄液の水流を受ける受け板を具備した食器洗浄ブラシが上昇しながら回転し洗浄面に接触するため、洗浄液との相乗効果により汚れの除去が効果的に行われる。
【００１３】
上記食器洗浄ブラシのブラシは洗浄面に対して直角方向に形成されているので均一の圧力を加えながら洗浄することができる。
【図面の簡単な説明】
【図１】本発明の実施例の構成を示す説明図である。
【図２】本発明の実施例の使用例を示す説明図である。
【図３】本発明の実施例の使用例を示す説明図である。
【図４】本発明のその他の実施例を示す説明図である
【符号の説明】
１  ブラシ本体  ２  受け板  ３  食器  ４  食器受け支持部
５  傾斜板      ６  ブラシ体
【図１】
2004261538.tif 000003
【図２】
2004261538.tif 000004
【図３】
2004261538.tif 000005
【図４】
2004261538.tif 000006
(57)【要約】【課題】冬の寒い時期など、ベットで睡眠中、寝返りによつて掛けフトンのズレが発生しズレた部分の重みで、ますますズレが大きくなるのを解消する為に、掛けフトンのズレ防止ベット冶具を提供する。【解決手段】ベット本体１のマツト下２に冶具３を取付ける事によつて、掛けフトンのズレを防止し、又ズレが発生してもズレた部分の重みを、ささえるようにする。従って、暖かく寝ることが出来るようにして、風邪を引かないようにする。【選択図】図１
2004261540.tif 000002
【特許請求の範囲】
【請求項１】
ベット側面にフトンズレ防止を付ける事によって寝返りをしても、フトンのズレや落下を防止し、風邪を引かず暖かく寝れるようにした。掛けフトンのズレ防止ベット冶具。
【発明の詳細な説明】
【０００１】
【発明の属する技術分野】
本発明は、ベットで睡眠中、寝返りによってフトンのズレが発生しズレた部分の重みで、ますます、ズレれるものを解決する為、ベット側面にズレ防止冶具を取付け掛けフトンのズレ、落下を防ぎ風邪を引かず暖かく寝れるようにするものである。
【０００２】
【従来の技術】
従来は、ベットにズレ防止冶具はなかつた。
【０００３】
【発明が解決しようとする課題】
冬の寒い時期など、寝返りよりフトンズレが発生しズレた部分の重みでますますズレ体が冷え風邪を引きやすくなる。本発明は、この課題を解消する為のものである。
【０００４】
【課題を解決するための手段】
ベット本体１のマット下に冶具３を取付ける事によって、フトンのズレを防止し、又ズレが発生してもズレた部分の重みをささえるようにした。
冶具は、４で固定し５で幅調整６で高さ調整、使用しない時はじゃまにならないように５，６で収納が出来るようにした。
【０００５】
【発明の実施の形態】
以下、本発明の実地の形態について説明する。
（イ）冶具３は、マット下４の部分に木ネジで取付ける。
（ロ）冶具３は、５と６で長さ調整の為スライト式にする。
（ハ）冶具３は、使用しない時は５と６の調整で押込む。
【図面の簡単な説明】
【図１】本発明の取付け位置図である。
【図２】本発明の使用状態示す断面図ある。
【符号の説明】
１  ベット本体    ２  マット    ３  冶具（ベット冶具）
４  冶具固定      ５  幅調整    ６  高さ調整
７  フトン
【図１】
2004261540.tif 000003
【図２】
2004261540.tif 000004
(57)【要約】      （修正有）【課題】簡単に刺繍できる道具を提供すること。【解決手段】たくさんの糸を乗せるところを造る。【選択図】図１
2004261548.tif 000002
【特許請求の範囲】
【請求項１】
簡単に刺繍できる道具を提供するものである。
【発明の詳細な説明】
【０００１】
【発明の属する技術分野】
この発明は手動性を利用するものである。
【０００２】
【従来の技術】
従来は色んな手間暇があった。
【０００３】
【発明が解決しようとする課題】
色んな面で簡単になると思う道具を提供する。
【０００４】
本発明は道具型における色んな部品をも利用している。
【０００５】
【課題を解決するため手段】
この道具には足を利用することもある。
【０００６】
【発明の実施の形態】
色糸を使用する。
【０００７】
【実施例】
実施例について図面を参照にして説明すると図１においてまず一番最初に糸乗せ軸
【図１−１】に糸を乗せてレール
【図１−３】で糸乗せ台
【図１−２】を合わせる内側に糸回転凸部
【図２−４】で糸の長さを調節する軸枠
【図２−５】で押さえながら止め磁石
【図２−６】で糸を張った状態にするそうできるのはこの磁石にくっつき部
【図３−８】と糸通し部
【図３−９】で形が台形
【３−７】があるためであるそして針入れ
【図４−１２】に針を入れ針止めビス
【図４−１０】と囲み
【図４−１１】で針を押さえる簡単に縫えるように回転板部品
【図５】で手足どちらでも良い左右も関係なく回せばこの板が上から見たときに円形なので山になっている部分で縫い針を出すそのでた針が針駆動板
【図６−１３】を動かし針支え
【図６−１４】で針を後退させるその時にゴム付き縫い場
【図６−１６】のゴムが有るため戻り下縫い針
【図６−１５】で縫う再び針が戻り入って来たら同じ動作を繰り返す移動し易いように正円球車
【図７−１７】を付ける
【０００８】
【発明の効果】
本発明は、以上に説明したように構成されているので、以下に記載されるような効果を奏する。
【図面の簡単な説明】
【図１】正面断面図
【図２】別角度図
【図３】一部断面図
【図４】部分断面図
【図５】部品断面図
【図６】交換部品断面図
【図７】下見図
【符号の説明】
【図１−１】糸乗せ軸
【図１−２】糸乗せ台
【図１−３】レール
【図２−４】糸回転凸部
【図２−５】軸枠
【図２−６】止め磁石
【図３−７】台形
【図３−８】くっつき部
【図３−９】糸通し部
【図４−１０】針止めビス
【図４−１１】囲み
【図４−１２】針入れ
【図６−１３】針駆動板
【図６−１４】針支え
【図６−１５】下縫い針
【図６−１６】ゴム付き縫い場
【図７−１７】正円球車
【図１】
2004261548.tif 000003
【図２】
2004261548.tif 000004
【図３】
2004261548.tif 000005
【図４】
2004261548.tif 000006
【図５】
2004261548.tif 000007
【図６】
2004261548.tif 000008
【図７】
2004261548.tif 000009
(57)【要約】      （修正有）【課題】盲人を案内する。【解決手段】杖の中に送受信器が入っていて、振動等で案内をする。【選択図】    図２
2004261549.tif 000002
【特許請求の範囲】
【請求項１】
目の見えない人を案内出来る機械を提供するものである。
【発明の詳細な説明】
【０００１】
【発明の属する技術分野】
この発明は感覚性を利用するものである。
【０００２】
【従来の技術】
従来は色んな苦労があった。
【０００３】
【発明が解決しようとする課題】
色んな面で簡単になると思う案内法を提供する。
【０００４】
本発明は杖型における色んな信号を利用している。
【０００５】
【課題を解決するため手段】
この発明には便利性を利用することもある。
【０００６】
【発明の実施の形態】
あるていどの力を使用する。
【０００７】
【実施例】
実施例について図面を参照にして説明すると、図１においてまず一番最初に案内法において色んな形の誘導の仕方があるが、それに問わずに
【図１−１】持ち部がありこれを上手く利用することにより、簡単に案内することが出来る。理由はこの杖の中には送受信機が入っており、手の持つところには点字の表示とマイク・スピーカー・振動・イヤホンプラグ・カメラ（つまり携帯電話の改造版）等々を使用する。それを全て杖
【図１−２】で支える持ち部
【図２−３】の中に送受信機
【図２−４】の一部が有る。
【０００８】
【発明の効果】
本発明は、以上に説明したように構成されているので、以下に記載されるような効果を奏する。
【図面の簡単な説明】
【図１】正面図
【図２】持ち部
【符号の説明】
【図１−１】持ち部
【図１−２】杖
【図２−３】持ち部
【図２−４】送受信機  の一部
【図１】
2004261549.tif 000003
【図２】
2004261549.tif 000004
(57)【要約】      （修正有）【課題】囲碁、将棋共に、用具を仕舞い忘れたり、散逸するのをなくす。【解決手段】箱状の収納部１と蓋２の部分からなり、蓋２の片面には囲碁盤Ａを描き、反対面には将棋盤Ｂを描いたものにより構成され、収納部１には碁石や駒、駒台などと共に他の遊具も収納できるようになっている。【選択図】図１
2004261543.tif 000002
【特許請求の範囲】
【請求項１】
箱状の収納部に蓋を付け、その蓋の片面に囲碁盤を描き、反対面には将棋盤を描いた収納付き囲碁将棋兼用盤
【請求項２】
箱状の収納部に、脚を付けた請求項１記載の収納付き囲碁将棋兼用盤
【発明の詳細な説明】
【０００１】
【従来の利用分野と技術】
従来、囲碁、将棋共に、それぞれ囲碁盤と碁石、将棋盤と駒のように独立した用具を用いて対局するのを常としている。その用具には、紙製の物やプラスチック製の物から、高級木材を使用した重厚な物まで様々であり、囲碁盤と碁石、将棋盤と駒のようにセットになったものや、持運びに便利なように折り畳みになったものから、磁石を用いて携帯用にもなるものなど多種普及されている。
【０００２】
【発明が解決しようとする課題】
従来の用具においては、囲碁盤と碁石、将棋盤と駒のように対で揃えなければ対局はできない。そして、囲碁盤と碁石、将棋盤と駒を別々に置いたり、収納するのは面倒である。しかも、重厚なものは高級感に比して高価であり、其々用具を揃えるのは大変であった。また、軽便なものは仕舞い忘れたり、散逸するおそれもあった。
【０００３】
この発明は、従来の用具のもつ問題点を、箱状の収納部を有し、囲碁・将棋盤を兼用とすることによって解決する。収納付き囲碁将棋兼用盤を提供しようとするものである。
【０００４】
【課題を解決するための手段】
上記目的を達成するために、本発明における収納付き囲碁将棋兼用盤は、箱状の収納部１と蓋２の部分からなり、蓋２の片面には囲碁盤Ａを描き、蓋２の反対面には将棋盤Ｂを描いたものにより構成され、収納部分には碁石や駒、そして他の遊具なども収納できるようになっている。収納付き囲碁将棋兼用盤である。
【０００５】
【発明の実施の形態】
この発明は、以上のような構成であるから、これを使用して囲碁をしようとするときは、囲碁盤Ａを使用し、収納部１に予め収納しておいた碁石を取り出して対局し、また、将棋をしようとするときは、蓋２を裏返して将棋盤Ｂを使用し、収納部１にあらかじめ収納しておいた駒を取り出して対局することができる。
【０００６】
収納部１の下に、脚３をつけることもできる。脚３をつけると重厚感を増すことができる。この際、脚３の形状は問わない。
【０００７】
脚３は、ねじ込み式にしても良い。ねじ込み式にすれば取りはずしができるので、収納方法や収納場所も広がるし、流通時にも便利である。
【０００８】
第１図、第２図と第３図、第４図のように、外蓋式でも内蓋式でも良い。
【０００９】
ただし、内蓋式にしたときは、蓋２を開けるとき開けにくいので、切欠け部を設けるとか、押上げ棒を設けるとか、従来技術で解決することができる。
【００１０】
収納部１の内側に仕切りを設ける方法も考えられるが、この場合、自由度が少なく、収容物が限られるので、一室のほうが望ましい。
【００１１】
【発明の効果】
本発明は、上記のとうり構成されているので、次に記載する効果を奏する。
この収納付き囲碁将棋兼用盤は、一台備えることにより、囲碁、将棋の対局ができるだけでなく、収納部には碁石、駒、駒台などが収納できるので散逸することもなくなる。
【００１２】
請求項１の収納付き囲碁将棋兼用盤においては、囲碁、将棋の対局に必要な用具を収納できるだけでなく、かるたやトランプあるいはオセロの用具なども収納できるので、遊具の散逸を防ぐことができるし、そのまま棚や押入れにも仕舞えるので有効に片付けができる。
【００１３】
請求項２の収納付き囲碁将棋兼用盤においては、請求項１の効果をもつだけでなく、脚３を付けることによって、より重厚感を増し、和室などに置いても、愛好者の満足感を満たすこともできる。
脚３は、ねじ込み式にしておけば取りはずしができるので、収納方法や収納場所も広がるし、流通時にも便利である。
【００１４】
【図面の簡単な説明】
【図１】本発明の斜視図である。
【図２】蓋２の裏面（将棋盤Ａ）の斜視図である。
【図３】本発明の他の実施形態の斜視図である。
【図４】蓋２の裏面（将棋盤Ａ）の斜視図である。
【００１５】
【符号の説明】
１は収納部
２は蓋
Ａは囲碁盤
Ｂは将棋盤
３は脚
【図１】
2004261543.tif 000003
【図２】
2004261543.tif 000004
【図３】
2004261543.tif 000005
【図４】
2004261543.tif 000006
(57)【要約】【課題】プールで泳ぐのに、何回泳いだのか忘れず確認したいとき、スイム・カウンター１ｋｍを提供する。【解決手段】長さ調節可能な耐水性のリストバンド本体（１）に、数字を印字した玉（４）（５）を通した紐（３）を１５本付け、その玉を移動させることによって計数するもの。玉には大（５）小（４）２種類あり、移動させた玉を固定させる為に、紐（３）の下の中心部分にクッション（６）を付ける。そして、１〜１０までを計数するには小玉（４）を移動させ、１０，２０，３０，４０，５０は大玉（５）を移動させる。小玉（４）は１，２と３，４と５，６と７，８と９，１０の２個ずつを色分けすることによってプールを往復したことが分かり易い。さらに、大玉（５）は１０，２０と３０，４０と５０を色分けすることによって５０ｍプール、２５ｍプール、２０ｍプールの各プールで１ｋｍ泳いだことが確認し易くなっていることを特徴とする。【選択図】              図１
2004261541.tif 000002
【特許請求の範囲】
【請求項１】
長さ調節可能な耐水性のリストバンド本体（１）に、数字を印字した玉（４）（５）を通した紐（３）を１５本付け、その玉を移動させることによって計数するもの。
玉には大（５）小（４）２種類あり、移動させた玉を固定させる為に、紐（３）の下の中心部分にクッション（６）を付ける。そして、１〜１０までを計数するには小玉（４）を移動させ、１０，２０，３０，４０，５０は大玉（５）を移動させる。
小玉（４）は１，２と３，４と５，６と７，８と９，１０の２個ずつを色分けすることによってプールを往復したことが分かり易い。
さらに、大玉（５）は１０，２０と３０，４０と５０を色分けすることによって５０ｍプール、２５ｍプール、２０ｍプールの各プールで１ｋｍ泳いだことを確認し易くなっている。
【発明の詳細な説明】
【０００１】
【発明の属する技術分野】
この発明は、リストバンド型の計数機に関するものである。
【０００２】
【従来の技術】
プールで泳いだ回数は、記憶しておかなければならなかった。
【０００３】
【発明が解決しようとする課題】
これには、次の様な欠点があった。
最初、集中して泳いでいるうちは、覚えておくのも簡単だが、少し疲れて他の人と雑談するころになると、何回泳いだのか忘れてしまう事がある。
本発明は、以上のような欠点をなくすためになされたものである。
【０００４】
【課題を解決するための手段】
長さ調節可能な耐水性のリストバンド本体（１）に、数字を印字した玉（４）（５）を通した紐（３）を１５本付け、その玉を移動させることによって計数する。
玉には大（５）小（４）２種類あり、移動させた玉を固定させる為に、紐（３）の下の中心部分にクッション（６）を付ける。そして、１〜１０までを計数するには小玉（４）を移動させ、１０，２０，３０，４０，５０は大玉（５）を移動させる。
小玉（４）は１，２と３，４と５，６と７，８と９，１０の２個ずつを色分けすることによってプールを往復したことが分かり易い。
さらに、大玉（５）は１０，２０と３０，４０と５０を色分けすることによって５０ｍプール、２５ｍプール、２０ｍプールの各プールで１ｋｍ泳いだことを確認し易くなっている。
このリストバンドを付けて、泳ぐ度に玉（４）（５）を動かして計数する。
本発明は以上のような構成によりなるリストバンド型計数器である。
【０００５】
【発明の実施の形態】
以下、本発明の実施の形態について説明する。
長さ調節可能な耐水性のリストバンド本体（１）に、数字を印字した玉（４）（５）を通した紐（３）を１５本付け、その玉を移動させることによって計数する。
玉には大（５）小（４）２種類あり、移動させた玉を固定させる為に、紐（３）の下の中心部分にクッション（６）を付ける。そして、１〜１０までを計数するには小玉（４）を移動させ、１０，２０，３０，４０，５０は大玉（５）を移動させる。
小玉（４）は１，２と３，４と５，６と７，８と９，１０の２個ずつを色分けすることによって、プールを往復したことが分かり易い。
さらに、大玉（５）は１０，２０と３０，４０と５０を色分けすることによって５０ｍプール、２５ｍプール、２０ｍプールの各プールで１ｋｍ泳いだことを確認し易くなっている。
本発明は以上のような構造で、手首に巻き着けて使用する。
最初に、玉（４）（５）をすべて一列に並べておき、片道泳ぐ度に小玉（４）を１番の玉から順に１個移動させる。
小玉（４）は２個ずつ色分けしてあるのでプールを往復したことも確認し易い。
１０の位は大玉（５）を移動させることによって計数し、１１回目からは、小玉（４）をさっきと逆方向に移動させればよい。
片道２０回泳ぐと、大玉（５）を２個移動させており、５０ｍプールで泳いだ場合には、１ｋｍ泳いだことになる。
２５ｍプールで泳いだ場合は、大玉（５）を４個移動させたときに、１ｋｍ泳いだことになり、２０ｍプールでは、大玉（５）を５個移動させたときに、１ｋｍ泳いだことになる。
大玉（５）も色分けしてあるので、各プールでの１ｋｍを確認し易い。
【０００６】
【発明の効果】
リストバンド型なので、かさばらず、個人で、肌身離さず持つことができ、各人が、それぞれのペースで泳いでも、どれだけ泳いだのかを、簡単に確認することができる。
途中、誰かと話込んでも、泳ぐ度に玉を動かしているので、何回泳いだのか、一目でわかり、忘れる心配がない。
玉はカラフルで、見た目にも美しく、装飾効果もある。
本発明は、プールだけでなく、ランニングの回数や、ウオーキングの回数等を数える時にも、役立つ。
【図面の簡単な説明】
【図１】本発明を、手首に装着した図である。
【図２】本発明の、表図である。
【図３】本発明の、裏図である。
【符号の説明】
１  本体
２  マジックテープ
３  紐
４  小玉
５  大玉
６  玉を固定する為のクッション
【図１】
2004261541.tif 000003
【図２】
2004261541.tif 000004
【図３】
2004261541.tif 000005
(57)【要約】      （修正有）【課題】腕を疲れにくくすること。【解決手段】回転道具を利用する。【選択図】  図１
2004261550.tif 000002
【特許請求の範囲】
【請求項１】
自在な操作性を提供するものである。
【発明の詳細な説明】
【０００１】
【発明の属する技術分野】
この発明は道具の持つ特質を利用するものである。
【０００２】
【従来の技術】
従来は色んな苦労があった。
【０００３】
【発明が解決しようとする課題】
色んな面で軽くなると思う物を提供する。
【０００４】
本発明は回転の特質を利用している。
【０００５】
【課題を解決するため手段】
この発明には便利性を利用することもある。
【０００６】
【発明の実施の形態】
あるていどの腕の力を使用する。
【０００７】
【実施例】
実施例について図面を参照にして説明すると、図１においてまず一番最初に腕乗せ部
【図１−１】と腕移動支え
【図１−２】で腕が疲れないようにする。枠型支え
【図１−３】で回転し回転支え
【図１−６】で別回転腕移動伸縮スライド
【図１−５】で腕そのものの移動を行える全体支え
【図１−４】があるので道具の固定のために接着判
【図１−７】で道具を固定するこの道具によりキーボートの操作が楽になると思う。
【０００８】
【発明の効果】
本発明は、以上に説明したように構成されているので、以下に記載されるような効果を奏する。
【図面の簡単な説明】
【図１】正面図
【符号の説明】
【図１−１】腕乗せ部
【図１−２】腕移動支え
【図１−３】枠型支え
【図１−４】全体支え
【図１−５】腕移動伸縮スライド
【図１−６】回転支え
【図１−７】接着伴
【図１】
2004261550.tif 000003